(57)【要約】      （修正有）【課題】持ち運びが容易に行える米袋等の袋体を提供する。【解決手段】内部に粒体や粉体等の物品を密閉状態に収容する袋体であって、袋本体２の一方側面の中間位置に持ち下げ片３がその幅方向に沿って備えられ、袋本体２は内部に物品が収容された状態でその持ち下げ片３が持たれることでその位置において内部物品とともに折り曲げ状態となる。【選択図】図２
0003153126.tif 000002
【実用新案登録請求の範囲】
【請求項１】
内部に粒体や粉体等の物品を密閉状態に収容する袋体であって、
袋本体の一方側面の中間位置に持ち下げ片がその幅方向に沿って備えられ、袋本体は内部に物品が収容された状態でその持ち下げ片が持たれることでその位置において内部物品とともに折り曲げ状態となることを特徴とする袋体。
【請求項２】
前記袋本体に前記持ち下げ片が連続一体に設けられてなることを特徴とする請求項１記載の袋体。
【請求項３】
米袋である請求項１または２記載の袋体。
【考案の詳細な説明】
【技術分野】
【０００１】  この考案は、米袋等として好適に用いられる袋体に関する。
【背景技術】
【０００２】    最近、米はスーパーマーケットで購入される場合が多く、一般にプラスチックシート  の袋に納められた５ｋｇ、１０ｋｇ入りのものが販売されている。購入者はそれを持ち  帰ることとなるが、重量があるとともにそれが扁平な枕のような形態となっているので  必ず両手で支えるようにしなければ持ち運べず、取り扱いが難しい問題があった。とく  に、女性や高齢者にその扱いは困難であった。
【考案の開示】
【考案が解決しようとする課題】
【０００３】  この考案では、持ち運びが容易に行える米袋等の袋体を提供することを目的とする。
【課題を解決するための手段】
【０００４】  この考案では、内部に粒体や粉体等の物品を密閉状態に収容する袋体であって、袋本体の一方側面の中間位置に持ち下げ片がその幅方向に沿って備えられ、袋本体は内部に物品が収容された状態でその持ち下げ片が持たれることでその位置において内部物品とともに折り曲げ状態となることを特徴とする袋体を提供する。【０００５】  上記構成の袋体は、持ち下げ片が袋本体の中間位置にその幅方向に設けられていて、そこが持たれた際袋本体の全体がその位置で収納物品重量により両側に折れ曲がる状態となるので、袋本体を中間位置で持って安定して持ち運ぶことが可能となり、これにより、持ち下げ片を持つことでカバン等と同様にして持ち運ぶことができる。さらに、持ち運び途中に置く際にも袋本体の両端部それぞれが床面に幅広く接するので、持ち下げ片を上位置として安定した状態での置き形態が実現できる。【０００６】  この考案の袋体は収容された状態において全体がその形態を袋体とともに可変とする粒体や粉体の袋体として用いられ、とくに米袋として好適に用いられる。袋体の材質はプラスチックシートや樹脂強化紙シート等適宜のものが使用される。持ち下げ片は袋体に連続一体に設けられることで製造容易に、かつ、安定した構造となるが、別途接着剤や両面テープ等により取り付け固定してもよい。なお、この袋体の使用に際しては、内部収容物品は袋本体内にスペース面で若干余裕を持つように入れられることが好ましく、それにより、持ち下げ片位置においての全体が折り曲げ状態が容易に得られるようになる。
【考案の効果】
【０００７】  この考案によれば、米等の持ち運び等の取り扱いが容易に行えるようになる米袋等として好適に用いられる袋体が得られる。
【考案を実施するための形態】
【０００８】  図１はこの考案の包袋としての米袋の非使用時の斜視図である。米袋１はプラスチックシートよりなり、袋本体２の一方側面の中間位置に持ち下げ片３がその幅方向に沿って一体に備えられ（通常は一方側に倒れて位置する）、その持ち下げ片３には手掛け穴４が設けられている。そして、袋本体２は、内部に米が収容されその持ち下げ片３が持たれることでその位置において内部の米とともに、図２に示すように、全体が折り曲げ状態となる。
【０００９】  上記のように、米袋１には手掛け穴４の設けられた持ち下げ片３が設けられているので、手掛け穴４に手をかけて持ち下げ片３を持つことで、カバンを持ち運ぶのと同じようにして米の収容された米袋１を持ち運ぶことができる。その際、袋本体２の全体が持ち下げ片３の位置で米の重量により折れ曲がる状態となるので、袋本体２を中間位置で片手によって安定して持ち運ぶことが可能となる。さらに、持ち運び途中に置く際にも袋本体２の両端部２ａそれぞれが床面に幅広く接するので、持ち下げ片３を上位置として安定した状態での置き形態が実現できる。従来の米袋の場合は、通常両手で支えて持ち運ぶので、持ち運びにくいとともに両手がふさがり、また、水平方向にしか置くことができないので任意の場所に置きにくい問題があった。
【００１０】  また、家庭においては米袋１に入れたまま使用毎に米を取り出しながら使う場合も多く、その場合は持ち下げ片３の下部（後に説明する点線Ｄ位置より下方位置）をカットしてそこを取り出し開口（取り出し時以外は適宜閉じる）とすることで、上記の置き形態としたまま使用でき、これにより、ある程度米が残っている状態においてはスペースを取ることなく米袋１を所望の位置に置いて使用することができる。
【００１１】  次に、上記米袋１の製造工程を説明する。図３は所定幅Ａに切断された筒状プラスチックシートＳであり、その一端側が図４に示すように内側に折り込まれ、その状態においてその点線Ｂで示す両側縁位置がヒートシールされ、さらに、点線Ｃで示す位置でカットされるとともに手掛け穴４が打ち抜き形成される。これにより、図５に示す手掛け穴４のある持ち下げ片３が一方側に一体に設けられるとともに、袋本体２が連通する状態において２つの部分２ａそれぞれに分離する米袋１が得られる。
【００１２】  上記筒状プラスチックシートＳとしては、図６に示すように、ナイロン（外面層Ｘ）／ポリエチレン（内面層Ｙ）シートを使用し、これにより上記のヒートシール温度がナイロン溶融温度（高温）とポリエチレン溶融温度（低温）との間温度と設定されることでポリエチレン面どうしのみが溶着し、したがって、袋本体２の２つの部分２ａの互いに相対する面どうしは溶着しない。
【００１３】  上記のように製造された米袋１の持ち下げ片３の上部開口７から、図７に示すように、米を入れて袋本体２の部分２ａそれぞれの中に米を納め、点線Ｄ位置でヒートシールして密封する。米の販売に際しては、持ち下げ片３を一方に側に倒し従来のように多段に積んで販売できる。
【００１４】  図８は他の実施形態を示す。上記製造工程においては点線Ｂで示す両側縁位置でヒートシールするとともに点線Ｃで示す位置でカットしたが、この実施形態においては点線Ｃ位置ではカットを行わず、点線Ｅ位置においてヒートシールし、その後の工程において袋本体２の一方の部分２ａの端縁をカットしている。そして、そのカット部分が米を入れるための開口１０とされている。
【００１５】  図９はさらに他の異なる実施形態を示す。このものでは製造工程初期において、図１０に示すように、内側への折り込こみを両端に行い、その状態において両側縁位置がヒートシールされている。これにより、上記それぞれの実施形態のものにおける持ち下げ片３が２つ重ね状態に設けられ、その重ねられた持ち下げ片３が一体として持たれることで持ち下げ状態が安定するようになっている。
【００１６】  図１１は米袋１の他のさらに異なる実施形態の使用時の斜視図である。この米袋１では、従来の米袋の一方側表面に別体の持ち下げ片３を貼り付け固定することで取り付けている。
【図面の簡単な説明】
【００１７】
【図１】  この考案の袋体である米袋の実施形態の非使用時の斜視図
【図２】  この考案の袋体である米袋の実施形態の使用時の斜視図
【図３】  この考案の袋体である米袋の実施形態の製造工程説明図
【図４】  この考案の袋体である米袋の実施形態の製造工程説明図
【図５】  この考案の袋体である米袋の実施形態の製造工程説明図
【図６】  この考案の袋体である米袋の実施形態の部分拡大図
【図７】  この考案の袋体である米袋の実施形態の米を入れる際の斜視図
【図８】  この考案の袋体である米袋の他の実施形態の米を入れる際の斜視図
【図９】  この考案の袋体である米袋の他の異なる実施形態の米を入れる際の斜視図
【図１０】  この考案の袋体である米袋の他の異なる実施形態の製造工程説明図
【図１１】  この考案の袋体である米袋の他のさらに異なる実施形態の非使用時の斜視図
【符号の説明】
【００１８】１    米袋（袋体）
２    袋本体
３    持ち下げ片
【図１】
0003153126.tif 000003
【図２】
0003153126.tif 000004
【図３】
0003153126.tif 000005
【図４】
0003153126.tif 000006
【図５】
0003153126.tif 000007
【図６】
0003153126.tif 000008
【図７】
0003153126.tif 000009
【図８】
0003153126.tif 000010
【図９】
0003153126.tif 000011
【図１０】
0003153126.tif 000012
【図１１】
0003153126.tif 000013